(57)【要約】【課題】より適切に、新たな放送方式の導入を行うことができるようにする。【解決手段】第１の方式との互換性がある第２の方式の導入に応じた制御情報として、周波数領域での分割単位であるセグメントに関するセグメント制御情報を含む伝送制御信号を生成する生成部と、生成した伝送制御信号を含む伝送フレームを送信する送信部とを備える送信装置が提供される。本技術は、例えば、ISDB-T方式等の放送方式に対応した伝送システムに適用することができる。【選択図】図１９
2020096343.tif 000002
【特許請求の範囲】
【請求項１】
第１の方式との互換性がある第２の方式の導入に応じた制御情報として、周波数領域での分割単位であるセグメントに関するセグメント制御情報を含む伝送制御信号を生成する生成部と、
生成した前記伝送制御信号を含む伝送フレームを送信する送信部と
を備える送信装置。
【請求項２】
前記セグメント制御情報は、前記セグメントに前記第２の方式が導入されたことを示す情報を含む
請求項１に記載の送信装置。
【請求項３】
前記セグメント制御情報は、前記セグメントからなる階層ごとに、前記第２の方式が導入されたことを示す情報を含む
請求項２に記載の送信装置。
【請求項４】
前記セグメント制御情報は、前記階層ごとに、各階層のセグメント数に関する情報をさらに含む
請求項３に記載の送信装置。
【請求項５】
前記伝送制御信号における既存の領域を、前記第２の方式の伝送パラメータの指示に用いる
請求項１に記載の送信装置。
【請求項６】
前記伝送パラメータは、変調方式、符号化率、及び時間インターリーブに関する情報のうち少なくとも１つを含む
請求項５に記載の送信装置。
【請求項７】
前記伝送制御信号は、前記第２の方式が導入されたことを示す情報をさらに含む
請求項１に記載の送信装置。
【請求項８】
前記第１の方式は、ISDB-T方式を含み、
前記第２の方式は、前記ISDB-T方式の次世代方式を含み、
前記伝送フレームは、OFDMフレームを含み、
前記伝送制御信号は、TMCC信号を含む
請求項１に記載の送信装置。
【請求項９】
前記セグメント制御情報は、前記セグメントからなる階層で行われる前記第２の方式の放送がSISO方式又はMIMO方式を用いる放送であることを示す情報を含む
請求項１に記載の送信装置。
【請求項１０】
前記セグメント制御情報は、前記セグメントからなる階層で行われる前記第２の方式の放送の垂直偏波側の周波数インターリーブが、階層内インターリーブ又は階層間インターリーブであることを示す情報を含む
請求項１に記載の送信装置。
【請求項１１】
送信装置が、
第１の方式との互換性がある第２の方式の導入に応じた制御情報として、周波数領域での分割単位であるセグメントに関するセグメント制御情報を含む伝送制御信号を生成し、
生成した前記伝送制御信号を含む伝送フレームを送信する
送信方法。
【請求項１２】
送信装置から送信される伝送フレームを受信する受信部と、
受信した前記伝送フレームから得られる伝送制御信号に基づいて、前記伝送フレームから得られるデータ信号に対する復調処理を行う復調部と
を備え、
前記伝送制御信号は、第１の方式との互換性がある第２の方式の導入に応じた制御情報として、周波数領域での分割単位であるセグメントに関するセグメント制御情報を含み、
前記復調部は、前記セグメント制御情報に基づいて、前記セグメントに関する復調処理を行う
受信装置。
【請求項１３】
前記セグメント制御情報は、前記セグメントに前記第２の方式が導入されたことを示す情報を含む
請求項１２に記載の受信装置。
【請求項１４】
前記セグメント制御情報は、前記セグメントからなる階層ごとに、前記第２の方式が導入されたことを示す情報を含む
請求項１３に記載の受信装置。
【請求項１５】
前記セグメント制御情報は、前記階層ごとに、各階層のセグメント数に関する情報をさらに含む
請求項１４に記載の受信装置。
【請求項１６】
前記伝送制御信号における既存の領域を、前記第２の方式の伝送パラメータの指示に用いる
請求項１２に記載の受信装置。
【請求項１７】
前記伝送パラメータは、変調方式、符号化率、及び時間インターリーブに関する情報のうち少なくとも１つを含む
請求項１６に記載の受信装置。
【請求項１８】
前記伝送制御信号は、前記第２の方式が導入されたことを示す情報をさらに含む
請求項１２に記載の受信装置。
【請求項１９】
前記第１の方式は、ISDB-T方式を含み、
前記第２の方式は、前記ISDB-T方式の次世代方式を含み、
前記伝送フレームは、OFDMフレームを含み、
前記伝送制御信号は、TMCC信号を含む
請求項１２に記載の受信装置。
【請求項２０】
前記セグメント制御情報は、前記セグメントからなる階層で行われる前記第２の方式の放送がSISO方式又はMIMO方式を用いる放送であることを示す情報を含む
請求項１２に記載の受信装置。
【請求項２１】
前記セグメント制御情報は、前記セグメントからなる階層で行われる前記第２の方式の放送の垂直偏波側の周波数インターリーブが、階層内インターリーブ又は階層間インターリーブであることを示す情報を含む
請求項１２に記載の受信装置。
【請求項２２】
送信装置から送信される伝送フレームを受信する受信部と、
受信した前記伝送フレームから得られる伝送制御信号に基づいて、前記伝送フレームから得られるデータ信号に対する復調処理を行う復調部と
を備える受信装置が、
前記伝送制御信号に含まれるセグメント制御情報であって、第１の方式との互換性がある第２の方式の導入に応じた制御情報として周波数領域での分割単位であるセグメントに関する前記セグメント制御情報に基づいて、前記セグメントに関する復調処理を行う
受信方法。
【発明の詳細な説明】
【技術分野】
【０００１】
本技術は、送信装置、送信方法、受信装置、及び受信方法に関し、特に、より適切に、新たな放送方式の導入を行うことができるようにした送信装置、送信方法、受信装置、及び受信方法に関する。
【背景技術】
【０００２】
例えば、日本では、地上デジタルテレビジョン放送の次世代化に向けた高度化の検討が行われ、様々な技術方式の検討がなされている（例えば、特許文献１参照）。
【先行技術文献】
【特許文献】
【０００３】
【特許文献１】特開2018-101862号公報
【発明の概要】
【発明が解決しようとする課題】
【０００４】
ところで、既存の放送方式から、当該既存の放送方式との互換性がある新たな放送方式に切り替えるに際しては、新たな放送方式の導入が適切に行われることが求められる。
【０００５】
本技術はこのような状況に鑑みてなされたものであり、より適切に、新たな放送方式の導入を行うことができるようにするものである。
【課題を解決するための手段】
【０００６】
本技術の一側面の送信装置は、第１の方式との互換性がある第２の方式の導入に応じた制御情報として、周波数領域での分割単位であるセグメントに関するセグメント制御情報を含む伝送制御信号を生成する生成部と、生成した前記伝送制御信号を含む伝送フレームを送信する送信部とを備える送信装置である。
【０００７】
本技術の一側面の送信方法は、送信装置が、第１の方式との互換性がある第２の方式の導入に応じた制御情報として、周波数領域での分割単位であるセグメントに関するセグメント制御情報を含む伝送制御信号を生成し、生成した前記伝送制御信号を含む伝送フレームを送信する送信方法である。
【０００８】
本技術の一側面の送信装置、及び送信方法においては、第１の方式との互換性がある第２の方式の導入に応じた制御情報として、周波数領域での分割単位であるセグメントに関するセグメント制御情報を含む伝送制御信号が生成され、生成された伝送制御信号を含む伝送フレームが送信される。
【０００９】
本技術の一側面の受信装置は、送信装置から送信される伝送フレームを受信する受信部と、受信した前記伝送フレームから得られる伝送制御信号に基づいて、前記伝送フレームから得られるデータ信号に対する復調処理を行う復調部とを備え、前記伝送制御信号は、第１の方式との互換性がある第２の方式の導入に応じた制御情報として、周波数領域での分割単位であるセグメントに関するセグメント制御情報を含み、前記復調部は、前記セグメント制御情報に基づいて、前記セグメントに関する復調処理を行う受信装置である。
【００１０】
本技術の一側面の受信方法は、送信装置から送信される伝送フレームを受信する受信部と、受信した前記伝送フレームから得られる伝送制御信号に基づいて、前記伝送フレームから得られるデータ信号に対する復調処理を行う復調部とを備える受信装置が、前記伝送制御信号に含まれるセグメント制御情報であって、第１の方式との互換性がある第２の方式の導入に応じた制御情報として周波数領域での分割単位であるセグメントに関する前記セグメント制御情報に基づいて、前記セグメントに関する復調処理を行う受信方法である。
【００１１】
本技術の一側面の受信装置、及び受信方法においては、伝送制御信号に含まれるセグメント制御情報であって、第１の方式との互換性がある第２の方式の導入に応じた制御情報として周波数領域での分割単位であるセグメントに関するセグメント制御情報に基づいて、セグメントに関する復調処理が行われる。
【００１２】
本技術の一側面の送信装置、及び受信装置は、独立した装置であってもよいし、１つの装置を構成している内部ブロックであってもよい。
【図面の簡単な説明】
【００１３】
【図１】本技術を適用した伝送システムの一実施の形態の構成の例を示す図である。
【図２】TMCCキャリアのビットの割り当ての例を示す図である。
【図３】TMCC情報のビットの割り当ての詳細を示す図である。
【図４】伝送パラメータ情報の構成の例を示す図である。
【図５】キャリア変調マッピング方式の例を示す図である。
【図６】畳込み符号化率の例を示す図である。
【図７】時間インターリーブの長さの例を示す図である。
【図８】セグメント数の例を示す図である。
【図９】新方式導入制御情報の例を示す図である。
【図１０】セグメントの制御情報の例を示す図である。
【図１１】各階層における新方式の導入の有無の例を示す図である。
【図１２】Ｂ階層又はＣ階層におけるセグメント数の例を示す図である。
【図１３】伝送パラメータ情報の構成の例を示す図である。
【図１４】変調方式の例を示す図である。
【図１５】符号化率の例を示す図である。
【図１６】時間インターリーブの長さの例を示す図である。
【図１７】既存方式に新方式が導入される場合におけるセグメントの構成の例を示す図である。
【図１８】セグメント制御情報の値の例を示す図である。
【図１９】送信装置の構成の例を示すブロック図である。
【図２０】送信処理の流れを説明するフローチャートである。
【図２１】受信装置の構成の例を示すブロック図である。
【図２２】受信処理の流れを説明するフローチャートである。
【図２３】受信処理の流れを説明するフローチャートである。
【図２４】MIMO方式の伝送を模式的に表した図である。
【図２５】既存方式としてのISDB-T方式の放送を維持しつつ、新方式を導入する導入方法を説明する図である。
【図２６】新方式の導入に、MIMO方式が用いられ得る場合のセグメント制御情報の例を示す図である。
【図２７】MIMO方式が用いられる新方式の放送のV偏波側の周波数インターリーブを説明する図である。
【図２８】セグメント制御情報のうちの、Ｂ階層で行われる放送が既存方式としてのISDB-T方式又は新方式の放送であることを表す情報が割り当てられるビットB110を説明する図である。
【図２９】セグメント制御情報のうちの、Ｂ階層で行われる新方式の放送がSISO方式又はMIMO方式を用いる放送であることを示す情報が割り当てられるビットB111を説明する図である。
【図３０】セグメント制御情報のうちの、キャリア変調方式を表す情報が割り当てられるビットB112〜B114を説明する図である。
【図３１】セグメント制御情報のうちの、符号化率を表す情報が割り当てられるビットB115〜B118を説明する図である。
【図３２】セグメント制御情報のうちの、時間インターリーブの長さを表す情報が割り当てられるビットB119〜B120を説明する図である。
【図３３】セグメント制御情報のうちの、Ｂ階層で行われる、MIMO方式が用いられる新方式の放送のV偏波側の周波数インターリーブが、階層内インターリーブ又は階層間インターリーブであることを示す情報が割り当てられるビットB121を説明する図である。
【図３４】第２のフェーズのシステム識別の例を示す図である。
【図３５】コンピュータの構成の例を示す図である。
【発明を実施するための形態】
【００１４】
以下、図面を参照しながら本技術の実施の形態について説明する。なお、説明は以下の順序で行うものとする。
【００１５】
１．本技術の実施の形態
２．変形例
３．コンピュータの構成
【００１６】
＜１．本技術の実施の形態＞
【００１７】
（伝送システムの構成例）
図１は、本技術を適用した伝送システムの一実施の形態の構成を示す図である。なお、システムとは、複数の装置が論理的に集合したものをいう。
【００１８】
図１において、伝送システム１は、地上デジタルテレビジョン放送等の放送方式に対応したシステムである。伝送システム１は、各放送局に関連する施設に設置されるデータ処理装置１１−１乃至１１−Ｎ（Ｎは１以上の整数）と、送信所に設置される送信装置１０と、各ユーザにより所有される受信装置２０−１乃至２０−Ｍ（Ｍは１以上の整数）から構成される。
【００１９】
また、この伝送システム１において、データ処理装置１１−１乃至１１−Ｎと、送信装置１０とは、通信回線１２−１乃至１２−Ｎを介して接続されている。なお、通信回線１２−１乃至１２−Ｎは、例えば専用線とすることができる。
【００２０】
データ処理装置１１−１は、放送局Ａにより制作された放送コンテンツ（例えば放送番組等）のデータにエンコード等の必要な処理を施し、その結果得られる伝送データを、通信回線１２−１を介して送信装置１０に送信する。
【００２１】
データ処理装置１１−２乃至１１−Ｎにおいては、データ処理装置１１−１と同様に、放送局Ｂや放送局Ｚ等の各放送局により制作された放送コンテンツのデータが処理され、その結果得られる伝送データが、通信回線１２−２乃至１２−Ｎを介して送信装置１０に送信される。
【００２２】
送信装置１０は、通信回線１２−１乃至１２−Ｎを介して、放送局側のデータ処理装置１１−１乃至１１−Ｎから送信されてくる伝送データを受信する。送信装置１０は、データ処理装置１１−１乃至１１−Ｎからの伝送データに符号化や変調等の必要な処理を施し、その結果得られる放送信号を、送信所に設置された送信用のアンテナから送信する。
【００２３】
これにより、送信所側の送信装置１０からの放送信号は、所定の周波数帯の電波によって、受信装置２０−１乃至２０−Ｍにそれぞれ送信される。
【００２４】
受信装置２０−１乃至２０−Ｍは、例えば、テレビ受像機やセットトップボックス（STB：Set Top Box）などの固定受信機として構成され、各ユーザの自宅等に設置される。
【００２５】
受信装置２０−１は、所定の周波数帯の電波によって、送信装置１０から送信されてくる放送信号を受信して復調や復号、デコード等の必要な処理を施すことで、ユーザによる選局操作に応じた放送コンテンツ（例えば放送番組等）を再生する。
【００２６】
受信装置２０−２乃至２０−Ｍにおいては、受信装置２０−１と同様に、送信装置１０からの放送信号が処理され、ユーザによる選局操作に応じた放送コンテンツが再生される。
【００２７】
このようにして、受信装置２０においては、放送コンテンツの映像がディスプレイに表示され、その映像に同期した音声がスピーカから出力されるため、ユーザは、放送番組等の放送コンテンツを視聴することができる。
【００２８】
なお、伝送システム１において、Ｍ台の受信装置２０には、既存の放送方式（既存方式）に対応したものと、新たな放送方式（新方式）に対応したものが混在している。そこで、以下の説明では、既存方式に対応した受信装置２０を、既存方式受信装置２０Ｌと称し、新方式に対応した受信装置２０を、新方式受信装置２０Ｎと称して区別する。
【００２９】
さらに、既存方式と新方式の両方の方式に対応した受信装置２０も想定されるため、以下の説明では、当該受信装置２０を、両方式受信装置２０Ｄと称する。ただし、既存方式受信装置２０Ｌと、新方式受信装置２０Ｎと、両方式受信装置２０Ｄとを、特に区別する必要がない場合には、単に受信装置２０と称する。
【００３０】
ところで、日本では、地上デジタルテレビジョン放送の次世代化に向けた検討が行われている。ここで、既存方式（ISDB-T方式）から新方式（ISDB-T方式の次世代方式）への移行（マイグレーション）方法の１つとして、既存方式の周波数帯域を用いて、互換性のある新方式を導入することが検討されている。
【００３１】
ここで、新方式について、既存方式との互換性がある、とは、新方式の放送を、既存方式の一部を用いて行うことができることを意味する。
【００３２】
既存方式としてのISDB-T方式は、OFDMフレームを、異なる伝送路符号化を施したOFDMセグメント群の同時伝送である階層伝送により伝送することができる。階層伝送では、１チャンネルが、１以上のセグメントで構成される１以上の階層に分割される。そして、各階層では、異なる伝送路符号化を採用することができる。既存方式としてのISDB-T方式の一部の階層を用いて放送を行うことができる新方式は、既存方式としてのISDB-T方式との互換性がある、ということができる。
【００３３】
ISDB-T方式との互換性がある新方式の放送は、ISDB-T方式の放送を維持しつつ行うことができる。
【００３４】
既存方式との互換性がある新方式を導入する場合には、２つのフェーズが想定される。すなわち、既存方式との互換性を保持しつつ、新方式を導入する第１のフェーズと、既存方式の放送サービスを停止して新方式の運用のみが行われる第２のフェーズである。
【００３５】
そして、新方式を導入するに際しては、当該新方式の導入が適切に行われることで、既存方式受信装置２０Ｌの動作に影響を及ぼすことなく、新方式受信装置２０Ｎ又は両方式受信装置２０Ｄが新方式の放送信号を適切に受信して処理できるようにすることが求められる。
【００３６】
そこで、本技術では、伝送制御信号（TMCC信号）に、既存方式（第１の方式）との互換性がある新方式（第２の方式）の導入に応じた制御情報、つまり、新方式の導入にあたって新たに導入される制御情報として、周波数領域での分割単位であるセグメントに関する制御情報（以下、セグメント制御情報ともいう）を含めて、当該セグメント制御情報を含む伝送制御信号が受信装置２０で処理されるようにすることで、より適切に新方式の導入が行われるようにする。
【００３７】
以下、既存方式との互換性がある新方式を導入するに際して、セグメント制御情報を含む伝送制御信号を用い、より適切に新方式の導入が行われるようにした本技術を、図２乃至図２４を参照しながら詳細に説明する。
【００３８】
ところで、日本では、地上デジタルテレビジョン放送の既存方式として、ISDB-T(Integrated Services Digital Broadcasting - Terrestrial)方式が採用されている。
【００３９】
このISDB-T方式では、１つのチャンネル（周波数帯域）に割り当てられる直交周波数分割多重（OFDM：Orthogonal Frequency Division Multiplexing）が施された複数のサブキャリアの周波数帯域が１３セグメントに分割されている。OFDMは、デジタル変調の一種で、ある周波数帯域内に複数の異なるサブキャリア（副搬送波）を形成してそれらを同時に伝送することで多重化を行うものである。
【００４０】
そして、１３セグメントのうち、１２セグメントが、固定受信機向けの放送に用いられ、残りの１セグメントがモバイル受信機向けの放送（いわゆるワンセグ放送）に用いられる。また、これらの１３セグメントにおいて、同時に放送用のデータが送信される。
【００４１】
なお、１つのチャンネル（周波数帯域）は、１３セグメントに分割されているが、ここでは、１つのチャンネルを最大で３階層により構成することができる。この３階層は、例えば、１セグメントからなるＡ階層と、６セグメントからなるＢ階層と、６セグメントからなるＣ階層とすることができる。ただし、各階層のセグメント数は、３つの階層（Ａ階層、Ｂ階層、Ｃ階層）のセグメントの合計が、１３セグメントを超えない範囲で任意に設定可能である。
【００４２】
また、ISDB-T方式では、伝送制御信号として、TMCC(Transmission Multiplexing Configuration Control)が規定されている。このTMCC信号は、各階層の変調方式や誤り訂正符号化率等の伝送パラメータなどの情報を含む。
【００４３】
既存方式としては、例えば、以上のISDB-T方式のように、セグメントからなる階層を用いて階層伝送を行う放送方式を前提とすることとする。階層は、セグメントで構成されるので、セグメントに関するセグメント制御情報は、セグメントからなる階層に関する階層制御情報である、ともとらえることができる。
【００４４】
（TMCC信号の例）
図２は、TMCCキャリアのビットの割り当ての例を示している。
【００４５】
図２においては、TMCCキャリアの204ビットＢ0〜Ｂ203のうち、ビットＢ0にはTMCCシンボルのための復調基準信号、ビットＢ1〜Ｂ16には同期信号、ビットＢ17〜Ｂ19にはセグメント形式識別、ビットＢ20〜Ｂ121にはTMCC情報、ビットＢ122〜Ｂ203にはパリティビットが割り当てられることを示している。
【００４６】
図３は、図２のTMCC情報のビットＢ20〜Ｂ121の詳細を示している。
【００４７】
TMCC情報のビットＢ20〜Ｂ121のうち、ビットＢ20〜Ｂ21にはシステム識別、ビットＢ22〜Ｂ25には伝送パラメータ切替指標、ビットＢ26には起動制御信号、ビットＢ27〜Ｂ66にはカレント情報、ビットＢ67〜Ｂ106にはネクスト情報、ビットＢ107〜Ｂ109には連結送信位相補正量が割り当てられ、ビットＢ110〜Ｂ121は未定義とされる。
【００４８】
図４は、図３のTMCC情報におけるカレント情報とネクスト情報の各階層の伝送パラメータ情報の構成の例を示している。すなわち、図４には、カレント情報のＡ階層、Ｂ階層、及びＣ階層と、ネクスト情報のＡ階層、Ｂ階層、及びＣ階層の伝送パラメータ情報を示している。
【００４９】
この伝送パラメータ情報としては、3ビットのキャリア変調マッピング方式、3ビットの畳込み符号化率、3ビットの時間インターリーブの長さ、及び4ビットのセグメント数が含まれる。ここでは、図５乃至図８に、これらの伝送パラメータ情報の具体例を示している。
【００５０】
図５は、キャリア変調マッピング方式の例を示している。このキャリア変調マッピング方式としては、例えば、'000'，'001'，'010'，'011'である3ビットの値に応じて、DQPSK(Differential Quadrature Phase Shift Keying)，QPSK(Quadrature Phase Shift Keying)，16QAM(Quadrature Amplitude Modulation)，64QAM等の変調方式が指定される。
【００５１】
図６は、畳込み符号化率の例を示している。この畳込み符号化率としては、例えば、'000'，'001'，'010'，'011'，'100'である3ビットの値に応じて、1/2，2/3，3/4，5/6，7/8等の符号化率が指定される。
【００５２】
図７は、時間インターリーブの長さの例を示している。この時間インターリーブの長さとしては、例えば、'000'，'001'，'010'，'011'である3ビットの値に応じて、モード１乃至３のIの値がそれぞれ設定される。
【００５３】
図８は、セグメント数の例を示している。このセグメント数としては、例えば、'0001'乃至'1101'である4ビットの値に応じて、セグメント数として1〜13がそれぞれ設定される。セグメント数としての4ビットの値'1110'は、未定義になっており、値'1111'は、階層（を構成するセグメント）が未使用であることを表す。
【００５４】
TMCC信号は、以上のような構成を有している。
【００５５】
（本技術を適用したTMCC信号の例）
本技術では、TMCC信号に含まれるTMCC情報の未定義のビット（リザーブビット）に、新方式導入制御情報とセグメント制御情報が追加されるようにする。
【００５６】
図９は、新方式導入制御情報の例を示している。
【００５７】
図９においては、TMCC情報の未定義のビットのうち、ビットＢ110の1ビットに、新方式導入制御情報が割り当てられている。
【００５８】
ここでは、TMCC情報のビットＢ110として、'0'が指定された場合には、既存方式との互換性がある新方式が導入されたことを示す。一方で、TMCC情報のビットＢ110として、'1'が指定された場合には、既存方式との互換性がある新方式の導入がないことを示す。
【００５９】
図１０は、セグメント制御情報の例を示している。
【００６０】
図１０においては、図３のTMCC情報の未定義のビットのうち、ビットＢ110を除いたビットＢ111〜Ｂ121に割り当てられるセグメント制御情報を示している。
【００６１】
すなわち、TMCC情報の未定義のビットＢ111〜Ｂ121のうち、ビットＢ111にはＡ階層における新方式の導入の有無、Ｂ112にはＢ階層における新方式の導入の有無、ビットＢ113〜Ｂ116にはＢ階層の新方式のセグメント数、ビットＢ117にはＣ階層における新方式の導入の有無、ビットＢ118〜Ｂ121にはＣ階層の新方式のセグメント数が割り当てられている。
【００６２】
図１１は、各階層における新方式の導入の有無の例を示している。
【００６３】
図１１においては、TMCC情報のビットＢ111として、'0'が指定された場合には、Ａ階層に新方式の導入があることを示し、'1'が指定された場合には、Ａ階層に新方式の導入がないことを示す。
【００６４】
同様に、TMCC情報のビットＢ112，Ｂ117として、'0'が指定された場合には、Ｂ階層、Ｃ階層に新方式の導入があることを示し、ビットＢ112，Ｂ117として、'1'が指定された場合には、Ｂ階層、Ｃ階層に新方式の導入がないことを示す。
【００６５】
図１２は、Ｂ階層又はＣ階層における新方式のセグメント数の例を示している。
【００６６】
図１２においては、ビットＢ113〜Ｂ116の4ビットの値として、'0001'が指定された場合にＢ階層のセグメント数が1であり、'0010'が指定された場合にＢ階層のセグメント数が2であり、'0011'が指定された場合にＢ階層のセグメント数が3であることを示す。
【００６７】
以下同様に、ビットＢ113〜Ｂ116の4ビットの値として、'0100'乃至'1101'が指定された場合には、Ｂ階層のセグメント数がそれぞれ、4〜13であることを示す。同様にまた、ビットＢ118〜Ｂ121の4ビットの値として、'0001'乃至'1101'が指定された場合には、Ｃ階層のセグメント数がそれぞれ、1〜13であることを示す。ビットＢ113〜Ｂ116の4ビットの値として、'1110'は、未定義になっており、'1111'は、階層（を構成するセグメント）が未使用であることを表す。
【００６８】
ここで、階層が未使用であることは、セグメント数から判別可能であるため、本技術では、既存のTMCC情報において、カレント情報の階層伝送パラメータ情報のうち、セグメント数を除いた項目を、新方式の伝送パラメータ（変調パラメータ）の指示に用いることができる。
【００６９】
すなわち、受信装置２０では、Ａ階層が、既存方式で未使用であるかどうかを、カレント情報のＡ階層の伝送パラメータ情報（図８）を構成するセグメント数としての4ビットの値が'1111'になっているかどうかによって判定することができる。既存方式受信装置２０Ｌは、Ａ階層が、既存方式で未使用であると判定した場合、Ａ階層の既存方式の伝送パラメータ情報の他の項目（セグメント数以外の項目）を参照しない。したがって、Ａ階層が、既存方式で未使用である場合には、Ａ階層の既存方式の伝送パラメータ情報のセグメント数以外の項目が、どのようになっていても、既存方式受信装置２０Ｌ（の動作）に影響しない。
【００７０】
以上から、Ａ階層が、既存方式で未使用である場合には、Ａ階層の既存方式の伝送パラメータ情報のセグメント数以外の項目を自由に用いること、例えば、新方式の伝送パラメータの指示に用いることができる。以上の点、Ａ階層以外のＢ階層及びＣ階層の伝送パラメータ情報についても、同様である。
【００７１】
図１３は、TMCC情報のカレント情報におけるＡ階層伝送パラメータ情報の構成の例を示している。ここでは、図１４乃至図１６の具体例を適宜参照しながら説明する。ただし、これらの変調方式、符号化率、及び時間インターリーブに関する情報は一例であって、他の伝送パラメータが指示されてもよい。
【００７２】
すなわち、Ａ階層伝送パラメータ情報のビットＢ28〜Ｂ40のうち、ビットＢ28〜Ｂ30に割り当てられる変調方式として、例えば、図１４に示した変調方式を、新方式の伝送パラメータとして新たに指定することができる。
【００７３】
この変調方式としては、例えば、'000'，'001'，'010'，'011'，'100'，'101'，'110'，'111'である3ビットの値に応じて、QPSK，16QAM-UC，16QAM-NUC，64QAM-UC，64QAM-NUC，256QAM-NUC，1024QAM-NUC，4096QAM-NUC等の変調方式が指定される。
【００７４】
また、Ａ階層伝送パラメータ情報のビットＢ28〜Ｂ40のうち、ビットＢ31〜Ｂ34に割り当てられる符号化率としては、例えば、図１５に示した符号化率を、新方式の伝送パラメータとして新たに指定することができる。
【００７５】
この符号化率としては、例えば、'0000'，'0001'，'0010'，'0011'，'0100'，'0101'，'0110'，'0111'，'1000'，'1001'，'1010'，'1011'，'1100'である4ビットの値に応じて、2/16，3/16，4/16，5/16，6/16，7/16，8/16，9/16，10/16，11/16，12/16，13/16，14/16等の符号化率が指定される。
【００７６】
さらに、Ａ階層伝送パラメータ情報のビットＢ28〜Ｂ40のうち、ビットＢ35〜Ｂ36に割り当てられる時間インターリーブの長さとしては、例えば、図１６に示した時間インターリーブの長さを、新方式の伝送パラメータとして指定することができる。
【００７７】
この時間インターリーブの長さとしては、例えば、'00'，'01'，'10'である2ビットの値に応じて、I = 0，1，2等Iの値がそれぞれ設定される。
【００７８】
以上をまとめると、本技術では、TMCC信号に含まれるTMCC情報の未定義のビット（リザーブビット）に、新方式導入制御情報とセグメント制御情報を追加している。具体的には、新方式導入制御情報とセグメント制御情報の内容は、次の通りである。
【００７９】
（ａ）新方式導入制御情報
・ビットＢ110：既存方式に対する新方式の導入の有無を示す。
'0'：新方式導入あり
'1'：新方式導入なし
【００８０】
（ｂ）セグメント制御情報
・ビットＢ111：Ａ階層における新方式の導入の有無を示す。
'0'：Ａ階層に新方式導入あり
'1'：Ａ階層に新方式導入なし
・ビットＢ112：Ｂ階層における新方式の導入の有無を示す。
'0'：Ｂ階層に新方式導入あり
'1'：Ｂ階層に新方式導入なし
・ビットＢ113〜Ｂ116：Ｂ階層の新方式のセグメント数を示す。
・ビットＢ117：Ｃ階層における新方式の導入の有無を示す。
'0'：Ｃ階層に新方式導入あり
'1'：Ｃ階層に新方式導入なし
・ビットＢ118〜Ｂ121：Ｃ階層の新方式のセグメント数を示す。
【００８１】
このように、TMCC情報において、新方式導入制御情報（ビットＢ110）とセグメント制御情報（ビットＢ111〜Ｂ121）を新たに定義することで、受信装置２０では、新方式導入制御情報に基づき、既存方式に新方式が導入されたかどうかを判定することができる。また、受信装置２０では、既存方式に新方式が導入されたと判定された場合に、セグメント制御情報に応じた処理（セグメントに関する復調処理）を行うことができる。
【００８２】
これにより、例えば、新方式受信装置２０Ｎ又は両方式受信装置２０Ｄでは、ビットＢ110の値として'0'が指定され、新方式の導入があると判定された場合に、セグメント制御情報（ビットＢ111〜Ｂ121の値）に応じた処理が行われる。そのため、既存方式受信装置２０Ｌの動作に影響を及ぼすことなく、新方式受信装置２０Ｎ又は両方式受信装置２０Ｄでは、新方式の放送信号を適切に受信して処理することが可能となる。
【００８３】
（セグメント制御情報の具体例）
ここで、図１７及び図１８を参照して、TMCC情報に含まれるセグメント制御情報（ビットＢ111乃至Ｂ121）の具体例を示す。
【００８４】
図１７においては、１３セグメントのうち、Ａ階層とＢ階層、すなわち、中央の１セグメントとその左右の３セグメントが既存方式（ISDB-T方式）に利用され、Ｃ階層、すなわち、Ｂ階層のさらに外側の左右の３セグメントが新方式（次世代地上放送方式）に利用されている。
【００８５】
つまり、図１７のセグメント構成の例では、Ａ階層とＢ階層の合計７セグメントが既存方式に利用され、Ｃ階層の６セグメントが新方式に利用されている。なお、次世代地上放送方式は、ISDB-T方式の次世代方式であるとも言える。
【００８６】
このとき、TMCC情報に含まれるセグメント制御情報（ビットＢ111乃至Ｂ121）においては、例えば、図１８に示すような値が指定される。
【００８７】
すなわち、図１７のセグメント構成では、Ａ階層とＢ階層が既存方式に利用されているため、ビットＢ111（図１０）には、Ａ層に新方式の導入がないことを示す'1'が指定され、ビットＢ112（図１０）には、Ｂ階層に新方式の導入がないことを示す'1'が指定される。このとき、新方式では、Ｂ階層は未使用とされるため、ビットＢ113〜Ｂ116（図１０）には、Ｂ階層のセグメントが未使用であることを示す'1111'が指定される。
【００８８】
また、図１７のセグメント構成では、Ｃ階層が新方式に利用されているため、ビットＢ117（図１０）には、Ｃ階層に新方式の導入があることを示す'0'が指定される。また、このとき、新方式でＣ階層の６セグメントを使用するため、ビットＢ118〜Ｂ121（図１０）には、セグメント数が6であることを示す'0110'が指定される。
【００８９】
Ｃ階層が新方式に利用される（用いられる）場合、Ｃ階層は、既存方式に利用されないので、カレント情報のＣ階層の伝送パラメータ情報（図４）を構成するセグメント数（図８）を表すビットＢ63〜Ｂ66は、既存方式で未使用であることを表す'1111'に指定される。
【００９０】
この場合、既存方式受信装置２０Ｌは、Ｃ階層のカレント情報の伝送パラメータ情報については、セグメント数以外の項目を参照しないので、Ｃ階層のカレント情報の伝送パラメータ情報を表すビットＢ54〜Ｂ66（図３）のうちの、セグメント数を表すビットＢ63〜Ｂ66以外のビットＢ54〜Ｂ62（図４）を、新方式の伝送パラメータの指示に用いることができる。
【００９１】
ここでは、ビットＢ54〜Ｂ62が、図１３で説明したような新方式で用いられる変調方式、符号化率、時間インターリーブの長さに割り当てられている。
【００９２】
具体的には、新方式の変調方式として256QAM-NUCが用いられるため、ビットＢ54〜Ｂ56には、'101'が指定される。また、新方式の符号化率（畳込み符号化率）としてCR = 8/16が用いられるため、ビットＢ57〜Ｂ60には、'0110'が指定される。さらに、新方式の時間インターリーブの長さとして、I = 1が用いられるため、ビットＢ61〜Ｂ62には、'01'が指定される。
【００９３】
このように、TMCC情報には、セグメント構成に応じたセグメント制御情報（ビットＢ111〜Ｂ121）が指定されるため、受信装置２０では、新方式が導入された場合であっても、セグメント制御情報（ビットＢ111〜Ｂ121）に基づき、セグメント構成に応じた処理を適切に行うことができる。
【００９４】
（送信装置の構成）
図１９は、図１の送信装置１０の構成の例を示している。
【００９５】
図１９において、送信装置１０は、変調処理部１０１、伝送制御信号生成部１０２、及びOFDM変調部１０３を含んで構成される。
【００９６】
変調処理部１０１は、そこに伝送データとして入力される放送コンテンツのデータに対して変調処理を施し、その結果得られるデータ信号を、OFDM変調部１０３に供給する。
【００９７】
この変調処理としては、例えば、前方誤り訂正符号化変調処理（誤り訂正符号化処理）や、階層（例えば、Ａ階層、Ｂ階層、Ｃ階層等）に関する処理、時間インターリーブ、周波数インターリーブ等の処理を含む。
【００９８】
伝送制御信号生成部１０２は、伝送制御信号としてのTMCC信号を生成し、OFDM変調部１０３に供給する。
【００９９】
OFDM変調部１０３は、伝送フレームとしてのOFDMフレームに関する処理を行う送信部（の一部）である。OFDM変調部１０３は、変調処理部１０１から供給されるデータ信号と、伝送制御信号生成部１０２から供給されるTMCC信号に対してOFDM変調処理を施し、その結果得られる変調信号を、送信アンテナ（不図示）を介して、放送信号として送信（送出）する。
【０１００】
このOFDM変調処理としては、例えば、OFDMフレームの構成や、周波数領域の信号から時間領域の信号に変換する逆高速フーリエ変換(IFFT：Inverse Fast Fourier Transform)、ガードインターバル（GI：Guard Interval）を付加する処理などを含む。
【０１０１】
送信装置１０は、以上のように構成される。
【０１０２】
なお、ここでは、説明の簡略化のため、既存方式と新方式とを特に区別せずに説明したが、変調処理部１０１、伝送制御信号生成部１０２、及びOFDM変調部１０３は、両方の方式に対応しており、例えば、図１７に示したセグメント構成に応じた放送信号を送出することができる。
【０１０３】
例えば、既存方式では、放送コンテンツとして２Ｋ映像に対応した２Ｋコンテンツを処理してその放送信号（2K放送信号）が送出される一方で、新方式では、放送コンテンツとして４Ｋ映像に対応した４Ｋコンテンツを処理してその放送信号（4K放送信号）が送出されることになる。
【０１０４】
次に、図２０のフローチャートを参照して、送信装置１０により実行される送信処理の流れを説明する。
【０１０５】
ステップＳ１０１の判定処理では、既存方式に対して新方式が導入されたかどうかが判定される。ただし、この例では、既存方式がISDB-T方式であり、新方式が次世代地上放送方式である場合を示す。
【０１０６】
ステップＳ１０１の判定処理で、新方式が導入されていないと判定された場合、処理はステップＳ１０２に進められ、ステップＳ１０２乃至Ｓ１０４の処理が実行される。
【０１０７】
すなわち、変調処理部１０１では、ISDB-T方式に対応したデータ信号の処理が行われる（Ｓ１０２）。このデータ信号の処理では、例えば、２Ｋコンテンツのデータに対して、前方誤り訂正符号化変調処理や、階層に関する処理、時間インターリーブ、周波数インターリーブ等の変調処理などが行われる。
【０１０８】
また、伝送制御信号生成部１０２では、TMCC信号が生成される（Ｓ１０３）。例えば、このTMCC信号において、TMCC情報に含まれる新方式導入制御情報には、ビットＢ110として'1'が指定され、新方式の導入がないことを示す。
【０１０９】
ステップＳ１０２，Ｓ１０３の処理が終了すると、処理は、ステップＳ１０４に進められる。そして、OFDM変調部１０３では、ステップＳ１０２，Ｓ１０３の処理で得られる信号に対してOFDM変調処理が行われる（Ｓ１０４）。これにより、OFDM変調処理の結果得られる変調信号が、放送信号（2K放送信号）として送信される。
【０１１０】
一方で、ステップＳ１０１の判定処理で、新方式が導入されたと判定された場合、処理は、ステップＳ１０５に進められ、ステップＳ１０５乃至Ｓ１０６、Ｓ１０４の処理が実行される。
【０１１１】
すなわち、変調処理部１０１では、ISDB-T方式と次世代地上放送方式に対応したデータ信号の処理が行われる（Ｓ１０５）。このデータ信号の処理では、例えば、２Ｋコンテンツと４Ｋコンテンツのデータに対して、前方誤り訂正符号化変調処理や、階層に関する処理、時間インターリーブ、周波数インターリーブ等の変調処理などが行われる。
【０１１２】
また、伝送制御信号生成部１０２では、TMCC信号が生成される（Ｓ１０６）。例えば、このTMCC信号において、TMCC情報に含まれる新方式導入制御情報には、ビットＢ110として'0'が指定され、新方式の導入があることを示すとともに、セグメント制御情報（ビットＢ111〜Ｂ121）の各値も指定される。
【０１１３】
ステップＳ１０５，Ｓ１０６の処理が終了すると、処理は、ステップＳ１０４に進められる。そして、OFDM変調部１０３では、ステップＳ１０５，１０６の処理で得られる信号に対してOFDM変調処理が行われる（Ｓ１０４）。これにより、OFDM変調処理の結果得られる変調信号が、放送信号（2K，4K放送信号）として送信される。
【０１１４】
以上、送信処理の流れを説明した。
【０１１５】
なお、ここでは、新方式の導入後のフェーズとして、既存方式との互換性を保持しつつ、新方式を導入する第１のフェーズについて説明したが、既存方式の放送サービスを停止して新方式の運用のみが行われる第２のフェーズの場合には、ステップＳ１０１の判定処理後のステップＳ１０５乃至Ｓ１０６、Ｓ１０４の処理で、４Ｋコンテンツのデータのみが処理され、4K放送信号のみが送信されることになる。
【０１１６】
（受信装置の構成）
図２１は、図１の受信装置２０の構成の例を示している。
【０１１７】
図２１において、受信装置２０は、OFDM復調部２０１、伝送制御信号処理部２０２、及び復調処理部２０３を含んで構成される。
【０１１８】
OFDM復調部２０１は、伝送フレームとしてのOFDMフレームに関する処理を行う受信部（の一部）である。OFDM復調部２０１は、受信アンテナ（不図示）を介して受信された放送信号に対してOFDM復調処理を施し、その結果得られる復調信号を、伝送制御信号処理部２０２及び復調処理部２０３に供給する。
【０１１９】
このOFDM復調処理としては、例えば、ガードインターバル（GI）を除去する処理や、時間領域の信号を周波数領域の信号に変換する高速フーリエ変換（FFT：Fast Fourier Transform）、OFDMフレームを復調する処理などを含む。
【０１２０】
伝送制御信号処理部２０２は、OFDM復調部２０１から供給される復調信号に対してTMCC復調復号処理を施し、その結果得られるTMCC信号に含まれるTMCC情報を、復調処理部２０３に供給する。
【０１２１】
復調処理部２０３は、伝送制御信号処理部２０２から供給されるTMCC情報に基づいて、OFDM復調部２０１から供給される復調信号から得られるデータ信号に対して復調処理を施し、その結果得られる出力信号を、後段の回路（例えばデコーダ等）に出力する。
【０１２２】
この復調処理としては、例えば、周波数デインターリーブや、時間デインターリーブ、階層（例えば、Ａ階層、Ｂ階層、Ｃ階層等）に関する処理、前方誤り訂正復調復号処理（誤り訂正符号を復号する処理）などを含む。
【０１２３】
受信装置２０は、以上のように構成される。
【０１２４】
なお、ここでは、既存方式受信装置２０Ｌと新方式受信装置２０Ｎと両方式受信装置２０Ｄとを特に区別せずに説明したが、既存方式受信装置２０Ｌでは、既存方式の仕様に対応したOFDM復調部２０１、伝送制御信号処理部２０２、及び復調処理部２０３がそれぞれ設けられ、新方式受信装置２０Ｎでは、新方式の仕様に対応したOFDM復調部２０１、伝送制御信号処理部２０２、及び復調処理部２０３がそれぞれ設けられる。
【０１２５】
また、両方式受信装置２０Ｄでは、OFDM復調部２０１、伝送制御信号処理部２０２、及び復調処理部２０３として、既存方式の仕様と新方式の仕様に対応したものがそれぞれ設けられる。
【０１２６】
このような構成を有することで、例えば、上述した第１のフェーズでは、既存方式受信装置２０Ｌでは、既存方式の放送信号（2K放送信号）が受信され、２Ｋコンテンツに応じた２Ｋ映像が表示される一方で、新方式受信装置２０Ｎ又は両方式受信装置２０Ｄでは、新方式の放送信号（4K放送信号）が受信され、４Ｋコンテンツに応じた４Ｋ映像が表示されることになる。
【０１２７】
次に、図２２及び図２３のフローチャートを参照して、受信装置２０により実行される受信処理の流れを説明する。
【０１２８】
ここでは、まず、図２２のフローチャートを参照して、TMCC情報に含まれる新方式導入制御情報（ビットＢ110）に対応した受信装置２０の動作の例を説明する。
【０１２９】
ステップＳ２０１において、伝送制御信号処理部２０２は、OFDM復調部２０１によるOFDM復調結果から、TMCC情報（新方式導入制御情報を含む）を取得する。そして、このTMCC情報に含まれる新方式導入制御情報に応じて以降の処理が実行される。
【０１３０】
ステップＳ２０２の判定処理では、ビットＢ110の値が判定される。ステップＳ２０２の判定処理で、新方式導入制御情報としてのビットＢ110の値が'0'である、つまり、新方式の導入があると判定された場合、処理は、ステップＳ２０３に進められる。
【０１３１】
ステップＳ２０３では、復調処理部２０３によって、セグメント制御情報の処理が実行される。このセグメント制御情報の処理では、セグメント制御情報（ビットＢ111乃至Ｂ121の値）に基づき、階層ごとに新方式の導入の有無が判定され、その判定結果に応じたセグメント数による復調等の処理が行われる。
【０１３２】
なお、ステップＳ２０２の判定処理で、ビットＢ110の値が'1'である、すなわち、新方式の導入がないと判定された場合には、ステップＳ２０３の処理はスキップされる。
【０１３３】
このように、受信装置２０では、新方式導入制御情報（ビットＢ110）に基づき、既存方式に新方式が導入されたかどうかを判定し、その判定結果に応じた処理を実行することができる。
【０１３４】
次に、図２３のフローチャートを参照して、図２２のステップＳ２０３の処理に対応した処理、すなわち、TMCC情報に含まれるセグメント制御情報（ビットＢ111乃至Ｂ121の値）に対応した受信装置２０の動作の例を説明する。
【０１３５】
ただし、この例では、既存方式がISDB-T方式であり、新方式が次世代地上放送方式である場合を例示する。
【０１３６】
ステップＳ２３１において、伝送制御信号処理部２０２は、OFDM復調部２０１によるOFDM復調結果から、TMCC信号に含まれるTMCC情報（セグメント制御情報を含む）を取得する。そして、このTMCC情報に含まれるセグメント制御情報（ビットＢ111〜Ｂ121の値）に応じて、ステップＳ２３２乃至Ｓ２４０の処理が実行される。
【０１３７】
ステップＳ２３２の判定処理では、ビットＢ111の値が'0'又は'1'であるかが判定される。
【０１３８】
ステップＳ２３２の判定処理で、ビットＢ111の値が'1'であると判定された場合、処理は、ステップＳ２３３に進められる。ステップＳ２３３において、復調処理部２０３は、ビットＢ37〜Ｂ40の4ビットの値（図８）を、Ａ階層のセグメント数として、ISDB-T方式の放送信号を復調する。
【０１３９】
また、ステップＳ２３２の判定処理で、ビットＢ111の値が'0'であると判定された場合、処理は、ステップＳ２３４に進められる。ステップＳ２３４において、復調処理部２０３は、ビットＢ37〜Ｂ40の4ビットの値（図８）を、Ａ階層のセグメント数として、次世代地上放送方式の放送信号を復調する。
【０１４０】
ステップＳ２３３又はＳ２３４の処理が終了すると、処理は、ステップＳ２３５に進められる。ステップＳ２３５の判定処理では、ビットＢ112の値が'0'又は'1'であるかが判定される。
【０１４１】
ステップＳ２３５の判定処理で、ビットＢ112の値が'1'であると判定された場合、処理は、ステップＳ２３６に進められる。ステップＳ２３６において、復調処理部２０３は、ビットＢ50〜Ｂ53の4ビットの値（図８）を、Ｂ階層のセグメント数として、ISDB-T方式の放送信号を復調する。
【０１４２】
また、ステップＳ２３５の判定処理で、ビットＢ112の値が'0'であると判定された場合、処理は、ステップＳ２３７に進められる。ステップＳ２３７において、復調処理部２０３は、ビットＢ113〜Ｂ116の4ビットの値（図１２）を、Ｂ階層のセグメント数として、新次世代地上放送方式の放送信号を復調する。
【０１４３】
ステップＳ２３６又はＳ２３７の処理が終了すると、処理は、ステップＳ２３８に進められる。ステップＳ２３８の判定処理では、ビットＢ117の値が'0'又は'1'であるかが判定される。
【０１４４】
ステップＳ２３８の判定処理で、ビットＢ117の値が'1'であると判定された場合、処理は、ステップＳ２３９に進められる。ステップＳ２３９において、復調処理部２０３は、ビットＢ63〜Ｂ66の4ビットの値（図８）を、Ｃ階層のセグメント数として、ISDB-T方式の放送信号を復調する。
【０１４５】
また、ステップＳ２３８の判定処理で、ビットＢ117の値が'0'であると判定された場合、処理は、ステップＳ２４０に進められる。ステップＳ２４０において、復調処理部２０３は、ビットＢ118〜Ｂ121の4ビットの値（図１２）を、Ｃ階層のセグメント数として、次世代地上放送方式の放送信号を復調する。
【０１４６】
ステップＳ２３９又はＳ２４０の処理が終了すると、図２３に示した処理は終了される。
【０１４７】
以上、受信処理の流れを説明した。
【０１４８】
（他の適用の例）
なお、上述した説明では、周波数領域での分割単位であるセグメントの数として、１３セグメントを例示したが、セグメント数は13に限らず、例えば、既存よりもさらに細分化された３５セグメントなど、任意の数とすることができる。また、上述した説明では、１つのチャンネルが最大で３階層（Ａ階層、Ｂ階層、Ｃ階層）で構成されるとして説明したが、階層の数は３階層に限らず、例えば２階層や４階層以上など、任意の数の階層とすることができる。
【０１４９】
また、既存方式との互換性がある新方式を導入する場合において、既存方式の放送信号と新方式の放送信号を、複数の送受信用のアンテナを用いたMIMO(Multiple Input Multiple Output)方式を採用して伝送する方式が想定される。図２４は、MIMO方式の伝送を模式的に表している。
【０１５０】
図２４においては、MIMO方式を用いているため、水平偏波によって、既存方式の放送信号（2K放送信号）と新方式の放送信号（4K放送信号）が伝送され（図２４のＡ）、垂直偏波によって、新方式の放送信号（4K放送信号）が伝送されている（図２４のＢ）。
【０１５１】
このようなMIMO方式の伝送を用いた場合であっても、例えば、水平偏波によって伝送されるTMCC信号に、セグメント制御情報（と新方式導入制御情報）を含めて、当該セグメント制御情報（と新方式導入制御情報）を含む伝送制御信号が受信装置２０で処理されるようにすることで、より適切に新方式の導入が行われるようにすることが可能である。
【０１５２】
（セグメント制御情報の他の実施の形態）
【０１５３】
以下、セグメント制御情報の他の実施の形態、すなわち、新方式の導入に、MIMO方式が用いられ得る場合のセグメント制御情報の実施の形態について説明する。
【０１５４】
図２５は、既存方式としてのISDB-T方式の放送を維持しつつ、新方式を導入する導入方法を説明する図である。
【０１５５】
図２５の導入方法は、「放送の高度化に関する研究開発」、平成３０年３月１６日、総務省情報流通行政局、ＮＨＫ、関西テレビ放送、ＴＢＳテレビ(http://www.soumu.go.jp/main_content/000539299.pdf)（以下、文献１という）で紹介されている新方式の導入方法の１つである。
【０１５６】
図２５の導入方法では、H偏波（水平偏波）及びV偏波（垂直偏波）を、それぞれ、対応する複数のアンテナで受信するMIMO(Multiple Input Multiple Output)方式を利用して、新方式が導入される。
【０１５７】
現行（現状）のISDB-T方式では、１３セグメントを有する１チャンネルが、１セグメントで構成されるＡ階層と、１２セグメントで構成されるＢ階層との２階層に分割されている。そして、Ａ階層で、ワンセグ放送が行われ、Ｂ階層で、いわゆる2K放送が行われている。また、ワンセグ放送及び2K放送では、SISO(Single-Input Single-Output)方式で、H偏波のみが用いられる。
【０１５８】
新方式を導入する場合、１チャンネルが、例えば、１セグメントで構成されるＡ階層、５セグメントで構成されるＢ階層、及び、７セグメントで構成されるＣ階層の３階層に分割される。
【０１５９】
そして、例えば、Ａ階層では、ワンセグ放送が、H偏波により行われ、Ｃ階層では、2K放送が、H偏波により行われる。
【０１６０】
さらに、例えば、Ｂ階層では、新方式の放送としての、例えば、4K放送が、H偏波及びV偏波を用いたMIMO方式により行われる。
【０１６１】
ここで、2K放送とは、概ね1920×1080ピクセル前後の画面解像度に対応した映像の放送であり、4K放送とは、概ね3840×2160ピクセル前後の画面解像度に対応した映像の放送である。
【０１６２】
また、新方式の放送としては、4K放送の他、例えば、8K放送等の、より高画質の映像の放送を行うことができる。8K放送とは、概ね7680×4320ピクセル前後の画面解像度に対応した映像の方法である。
【０１６３】
ところで、受信装置２０では、SISO方式が用いられる場合、H偏波だけを受信すればよいが、MIMO方式が用いられる場合、H偏波のみならず、V偏波を受信する必要がある。そのため、新方式の導入に、MIMO方式が用いられる場合、受信装置２０（及び送信装置１０）では、H偏波及びV偏波の両方を受信することができるように、アンテナの交換が必要となる。
【０１６４】
アンテナの交換については、経済的な影響が大きいため、新方式の導入には、MIMO方式ではなく、SISO方式が用いられることが考えられる。SISO方式を用いて新方式を導入する方法としては、例えば、LDM(Layered Division Multiplexing)を利用する方法がある。
【０１６５】
以上のように、新方式の導入にあたっては、SISO方式及びMIMO方式のいずれもが用いられ得る。したがって、新方式の導入に、SISO方式及びMIMO方式のうちのいずれが用いられても、対処することができることが望ましい。
【０１６６】
以下、新方式の導入に、SISO方式及びMIMO方式のいずれもが用いられ得る場合に対処することができるセグメント制御情報について説明する。
【０１６７】
図２６は、新方式の導入に、MIMO方式が用いられ得る場合のセグメント制御情報の例を示す図である。
【０１６８】
なお、ここでは、説明を簡単にするため、新方式の導入は、Ｂ階層にのみ行われることとする。すなわち、既存方式としてのISDB-T方式は、Ａ階層、Ｂ階層、及び、Ｃ階層で行われ得ることとし、新方式（ISDB-T方式を高度化した高度化方式）は、Ｂ階層で行われ得ることとする。
【０１６９】
図２６では、図３のTMCC情報の未定義のビットＢ110〜Ｂ121に、Ｂ階層を構成するセグメントに関するセグメント制御情報が割り当てられている。TMCC情報の未定義のビットＢ110〜Ｂ121に、Ｂ階層を構成するセグメントに関するセグメント制御情報を割り当てることで、新方式受信装置２０Ｎ及び両方式受信装置２０Ｄでは、既存方式受信装置２０Ｌ及び両方式受信装置２０Ｄによる既存方式の放送の受信に影響を与えることなく、新方式の放送を受信することができる。
【０１７０】
図２６では、セグメント制御情報としてのビットＢ110〜Ｂ121のうちの、ビットＢ110には、Ｂ階層で行われる放送が既存方式としてのISDB-T方式又は新方式の放送であることを表す情報が、ビットＢ111には、Ｂ階層で行われる新方式の放送がSISO方式又はMIMO方式を用いる放送であることを示す情報が、ビットB112〜B114には、新方式のキャリア変調（マッピング）方式を表す情報が、ビットB115〜B118には、新方式の符号化率を表す情報が、ビットB119〜B120には、新方式の時間インターリーブの長さを表す情報が、ビットB121には、Ｂ階層で行われる、MIMO方式が用いられる新方式の放送のV偏波側の周波数インターリーブが、階層内インターリーブ又は階層間インターリーブであることを示す情報が、それぞれ割り当てられる。
【０１７１】
なお、新方式は、Ｂ階層以外のＡ階層やＣ階層に導入することもできる。新方式が、Ａ階層、Ｂ階層、及び、Ｃ階層のいずれにも導入され得る場合、Ｂ階層（を構成するセグメント）に関するセグメント制御情報の他、Ａ階層及びＣ階層それぞれ（を構成するセグメント）に関するセグメント制御情報として、図２６と同様のセグメント制御情報を用意する必要がある。
【０１７２】
Ａ階層及びＣ階層それぞれ（を構成するセグメント）に関するセグメント制御情報は、例えば、既存方式の放送の受信時に、図２のTMCC信号（キャリア）の誤り検出を省略することを条件として、TMCC信号のパリティビットが割り当てられるビットＢ122〜Ｂ203の一部のビットに、パリティビットに代えて割り当てることができる。
【０１７３】
図２７は、MIMO方式が用いられる新方式の放送のV偏波側の周波数インターリーブを説明する図である。
【０１７４】
図２７は、既存方式としてのISDB-T方式の１３セグメントを有する１チャンネルを示している。新方式の導入に、MIMO方式が用いられる場合、例えば、図２５と同様に、１チャンネルは、１セグメントで構成されるＡ階層、５セグメントで構成されるＢ階層、及び、７セグメントで構成されるＣ階層の３階層に分割される。そして、Ａ階層でワンセグ放送が、Ｂ階層で新方式の放送としての、例えば、4K放送が、Ｃ階層で既存方式の放送としての2K放送が、それぞれ行われる。
【０１７５】
なお、図２７では、図２５と同様に、Ａ階層のワンセグ放送、及び、Ｃ階層の2K放送では、H偏波のみが用いられ、Ｂ階層の4K放送では、H偏波及びV偏波が用いられる。
【０１７６】
周波数インターリーブの種類としては、各階層の階層内で周波数インターリーブを行う階層内インターリーブと、複数の階層に亘って周波数インターリーブを行う階層間インターリーブとがある。また、H偏波とV偏波とのそれぞれについては、異なる種類の周波数インターリーブを行うことができる。
【０１７７】
図２７では、H偏波については、Ｂ階層とＣ階層とに亘って、階層間インターリーブが行われている。この場合、V偏波については、階層内インターリーブを行うこともできるし、階層間インターリーブを行うこともできる。V偏波について、階層内インターリーブ及び階層間インターリーブのうちのいずれの周波数インターリーブを行うかは、例えば、エラーレート等の放送の性能に関するファクタに応じて選択することができる。H偏波について行う周波数インターリーブも同様である。
【０１７８】
図２７では、V偏波については、Ｂ階層しか存在しない。したがって、V偏波について、階層内インターリーブが行われる場合には、Ｂ階層内で周波数インターリーブが行われる。また、V偏波について、例えば、H偏波のように、Ｂ階層とＣ階層とに亘る階層間インターリーブが行われる場合には、V偏波には、Ｂ階層の放送信号は存在するが、Ｃ階層の放送信号は存在しないため、Ｂ階層の放送信号だけが、Ｂ階層とＣ階層とに亘って配置される周波数インターリーブが行われる。そのため、V偏波について、階層間インターリーブが行われた後のＢ階層の放送信号の配置は、いわゆるくし状になる。
【０１７９】
図２８は、セグメント制御情報のうちの、Ｂ階層で行われる放送が既存方式としてのISDB-T方式又は新方式の放送であることを表す情報が割り当てられるビットB110を説明する図である。
【０１８０】
ビットＢ110として、’0’が指定された場合には、Ｂ階層で行われる放送が新方式の放送であることを示す。ビットＢ110として、’1’が指定された場合には、Ｂ階層で行われる放送が既存方式としてのISDB-T方式の放送であることを示す。
【０１８１】
図２９は、セグメント制御情報のうちの、Ｂ階層で行われる新方式の放送がSISO方式又はMIMO方式を用いる放送であることを示す情報が割り当てられるビットB111を説明する図である。
【０１８２】
ビットＢ111として、’0’が指定された場合には、Ｂ階層で行われる新方式の放送がMIMO方式を用いる放送であることを示す。ビットＢ111として、’1’が指定された場合には、Ｂ階層で行われる新方式の放送がSISO方式を用いる放送であることを示す。
【０１８３】
図３０は、セグメント制御情報のうちの、キャリア変調方式を表す情報が割り当てられるビットB112〜B114を説明する図である。
【０１８４】
ビットB112〜B114として、’000’，’001’，’010’，’011’，’100’，’101’が指定された場合には、それぞれ、Ｂ階層で行われる新方式の放送の変調方式が、QPSK，16QAM，64QAM，256QAM，1024QAM，4096QAMであることを示す。
【０１８５】
なお、図３０では、ビットB112〜B114において、’110’，’111’は、未定義になっている。
【０１８６】
また、図３０では、ビットB112〜B114は、変調方式を示すが、ビットB112〜B114は、例えば、図１４と同様に、変調方式とともに、コンスタレーションがUC(Uniform Constellation)及びNUC(Non-Uniform Constellation)のいずれであるかを示すように定義することができる。
【０１８７】
図３１は、セグメント制御情報のうちの、符号化率を表す情報が割り当てられるビットB115〜B118を説明する図である。
【０１８８】
ビットB115〜B118として、’0000’，’0001’，’0010’，’0011’，’0100’，’0101’，’0110’，’0111’，’1000’，’1001’，’1010’，’1011’，’1100’が指定された場合には、それぞれ、Ｂ階層で行われる新方式の放送の符号化率が、2/16，3/16，4/16，5/16，6/16，7/16，8/16，9/16，10/16，11/16，12/16，13/16，14/16であることを示す。
【０１８９】
なお、図３１では、ビットB115〜B118において、’1101’，’1110’，’1111’は、未定義になっている。
【０１９０】
図３２は、セグメント制御情報のうちの、時間インターリーブの長さを表す情報が割り当てられるビットB119〜B120を説明する図である。
【０１９１】
ビットB119〜B120として、’00’，’01’，’10’，’11’が指定された場合には、それぞれ、時間インターリーブの長さI = 0，1，2，3であることを示す。
【０１９２】
図３３は、セグメント制御情報のうちの、Ｂ階層で行われる、MIMO方式が用いられる新方式の放送のV偏波側の周波数インターリーブが、階層内インターリーブ又は階層間インターリーブであることを示す情報が割り当てられるビットB121を説明する図である。
【０１９３】
ビットB121として、’0’が指定された場合には、Ｂ階層で行われる新方式の放送のV偏波側の周波数インターリーブが、階層内インターリーブであることを示す。ビットB121として、’1’が指定された場合には、Ｂ階層で行われる新方式の放送のV偏波側の周波数インターリーブが、階層間インターリーブであることを示す。
【０１９４】
送信装置１０（図１９）は、新方式の導入にあたって、図２６のセグメント制御情報を含む放送信号を生成して送信することができる。また、受信装置２０（図２１）は、図２６のセグメント制御情報を含む放送信号を受信し、そのセグメント制御情報に基づいて復調処理を行うことで、新方式の放送としての4K放送の映像を取得することができる。さらに、TMCC情報の未定義のビットＢ110〜Ｂ121に、セグメント制御情報を割り当てることで、既存方式の放送の受信に影響を与えることなく、新方式を導入することができる。
【０１９５】
（第２のフェーズのシステム識別）
【０１９６】
図３４は、第２のフェーズのシステム識別の例を示す図である。
【０１９７】
既存方式との互換性を保持しつつ、新方式を導入する第１のフェーズでは、既存方式の放送の受信に影響を与えないようにするため、既存方式としてのISDB-T方式の現行のシステム識別を用いる必要がある。システム識別（図３）は、TMCC情報のビットＢ20〜Ｂ121のうち、ビットＢ20〜Ｂ21に割り当てられている。現行のシステム識別は、その現行のシステム識別としてのビットＢ20〜Ｂ21が’00’，’01’である場合、それぞれ、地上デジタルテレビジョン放送システム、地上デジタル音声放送システムを表す。現行のシステム識別としてのビットＢ20〜Ｂ21において、’10’，’11’は未定義になっている。
【０１９８】
第１のフェーズの後、既存方式の放送サービスを停止して新方式の運用のみが行われる第２のフェーズになった場合、新たなシステム識別を定義することができる。
【０１９９】
新たなシステム識別は、その新たなシステム識別としてのビットＢ20〜Ｂ21が’00’，’01’である場合、それぞれ、現行のシステム識別と同様に、地上デジタルテレビジョン放送システム、地上デジタル音声放送システムを表す。さらに、新たなシステム識別は、その新たなシステム識別としてのビットＢ20〜Ｂ21が’11’である場合、新方式の放送システム（地上デジタル第２世代テレビジョン放送システム）を表す。新たなシステム識別としてのビットＢ20〜Ｂ21において、’11’は未定義になっている。
【０２００】
第２のフェーズにおいて、新たなシステム識別が採用され、その新たなシステム識別としてのビットＢ20〜Ｂ21が、新放送の放送システムを表す’10’である場合、TMCC情報としてのビットB20ないしB121のうちの、新たなシステム識別としてのビットＢ20〜Ｂ21を除くビットB22〜B121には、新方式用に定義した新たな制御情報を割り当てることができる。受信装置２０では、システム識別に基づいて、ビットB22〜B121に、新方式用に定義した新たな制御情報が割り当てられているかどうかを判定することができる。
【０２０１】
＜２．変形例＞
【０２０２】
（他の放送方式の例）
上述した説明としては、地上デジタルテレビジョン放送の放送方式として、ISDB-T方式を説明したが、本技術は、他の放送方式に適用してもよい。また、地上波（地上波放送）に限らず、例えば、放送衛星（BS：Broadcasting Satellite）や通信衛星（CS：Communications Satellite）を利用した衛星放送、あるいは、ケーブルを用いた有線放送（CATV：Common Antenna TeleVision）などの放送方式に適用してもよい。
【０２０３】
（受信装置の他の構成）
また、上述した説明では、受信装置２０（図１）は、テレビ受像機やセットトップボックス（STB）などの固定受信機として構成されるとして説明したが、固定受信機には、例えば、録画機、ゲーム機、パーソナルコンピュータ、ネットワークストレージなどの電子機器を含めてもよい。さらに、受信装置２０（図１）としては、固定受信機に限らず、例えば、スマートフォンや携帯電話機、タブレット型コンピュータ等のモバイル受信機、車載テレビ等の車両に搭載される車載機器、ヘッドマウントディスプレイ（HMD：Head Mounted Display）等のウェアラブルコンピュータなどの電子機器を含めてもよい。
【０２０４】
さらに、図１９に示した構成を有する送信装置１０を、変調装置又は変調部（例えば変調回路）などとして捉えてもよい。同様に、図２１に示した構成を有する受信装置２０を、復調装置又は復調部（例えば復調回路や復調IC）などとして捉えてもよい。
【０２０５】
（通信回線を含む構成）
また、伝送システム１（図１）においては、図示していないが、インターネット等の通信回線に対し、各種のサーバが接続されるようにして、通信機能を有する受信装置２０（図１）が、インターネット等の通信回線を介して、各種のサーバにアクセスして双方向の通信を行うことで、コンテンツやアプリケーション等の各種のデータを受信できるようにしてもよい。
【０２０６】
（その他）
なお、本開示において用いられる用語は、一例であって、他の用語が用いられるのを意図的に排除するものではない。例えば、上述した説明において、フレームは、例えば、パケットなどの他の用語で置き換えられる場合がある。
【０２０７】
また、本開示において、「２Ｋ映像」とは、概ね1920×1080ピクセル前後の画面解像度に対応した映像であり、「４Ｋ映像」とは、概ね3840×2160ピクセル前後の画面解像度に対応した映像である。また、上述した説明では、放送コンテンツとして、既存の放送方式（既存方式）で伝送される２Ｋ映像の２Ｋコンテンツと、新たな放送方式（新方式）で伝送される４Ｋ映像の４Ｋコンテンツを説明したが、新方式で伝送される放送コンテンツとしては、８Ｋ映像等のさらに高画質のコンテンツであってもよい。ただし、「８Ｋ映像」とは、概ね7680×4320ピクセル前後の画面解像度に対応した映像である。
【０２０８】
＜３．コンピュータの構成＞
【０２０９】
上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。図３５は、上述した一連の処理をプログラムにより実行するコンピュータのハードウェアの構成例を示す図である。
【０２１０】
コンピュータ１０００において、CPU(Central Processing Unit)１００１、ROM(Read Only Memory)１００２、RAM(Random Access Memory)１００３は、バス１００４により相互に接続されている。バス１００４には、さらに、入出力インターフェース１００５が接続されている。入出力インターフェース１００５には、入力部１００６、出力部１００７、記録部１００８、通信部１００９、及び、ドライブ１０１０が接続されている。
【０２１１】
入力部１００６は、キーボード、マウス、マイクロフォンなどよりなる。出力部１００７は、ディスプレイ、スピーカなどよりなる。記録部１００８は、ハードディスクや不揮発性のメモリなどよりなる。通信部１００９は、ネットワークインターフェースなどよりなる。ドライブ１０１０は、磁気ディスク、光ディスク、光磁気ディスク、又は半導体メモリなどのリムーバブル記録媒体１０１１を駆動する。
【０２１２】
以上のように構成されるコンピュータ１０００では、CPU１００１が、ROM１００２や記録部１００８に記録されているプログラムを、入出力インターフェース１００５及びバス１００４を介して、RAM１００３にロードして実行することにより、上述した一連の処理が行われる。
【０２１３】
コンピュータ１０００（CPU１００１）が実行するプログラムは、例えば、パッケージメディア等としてのリムーバブル記録媒体１０１１に記録して提供することができる。また、プログラムは、ローカルエリアネットワーク、インターネット、デジタル衛星放送といった、有線又は無線の伝送媒体を介して提供することができる。
【０２１４】
コンピュータ１０００では、プログラムは、リムーバブル記録媒体１０１１をドライブ１０１０に装着することにより、入出力インターフェース１００５を介して、記録部１００８にインストールすることができる。また、プログラムは、有線又は無線の伝送媒体を介して、通信部１００９で受信し、記録部１００８にインストールすることができる。その他、プログラムは、ROM１００２や記録部１００８に、あらかじめインストールしておくことができる。
【０２１５】
ここで、本明細書において、コンピュータがプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。また、プログラムは、１のコンピュータ（プロセッサ）により処理されてもよいし、複数のコンピュータによって分散処理されてもよい。
【０２１６】
なお、本技術の実施の形態は、上述した実施の形態に限定されるものではなく、本技術の要旨を逸脱しない範囲において種々の変更が可能である。
【０２１７】
また、本技術は、以下のような構成をとることができる。
【０２１８】
（１）
第１の方式との互換性がある第２の方式の導入に応じた制御情報として、周波数領域での分割単位であるセグメントに関するセグメント制御情報を含む伝送制御信号を生成する生成部と、
生成した前記伝送制御信号を含む伝送フレームを送信する送信部と
を備える送信装置。
（２）
前記セグメント制御情報は、前記セグメントに前記第２の方式が導入されたことを示す情報を含む
前記（１）に記載の送信装置。
（３）
前記セグメント制御情報は、前記セグメントからなる階層ごとに、前記第２の方式が導入されたことを示す情報を含む
前記（１）又は（２）に記載の送信装置。
（４）
前記セグメント制御情報は、前記階層ごとに、各階層のセグメント数に関する情報をさらに含む
前記（３）に記載の送信装置。
（５）
前記伝送制御信号における既存の領域を、前記第２の方式の伝送パラメータの指示に用いる
前記（１）乃至（４）のいずれかに記載の送信装置。
（６）
前記伝送パラメータは、変調方式、符号化率、及び時間インターリーブに関する情報のうち少なくとも１つを含む
前記（５）に記載の送信装置。
（７）
前記伝送制御信号は、前記第２の方式が導入されたことを示す情報をさらに含む
前記（１）乃至（６）のいずれかに記載の送信装置。
（８）
前記第１の方式は、ISDB-T方式を含み、
前記第２の方式は、前記ISDB-T方式の次世代方式を含み、
前記伝送フレームは、OFDMフレームを含み、
前記伝送制御信号は、TMCC信号を含む
前記（１）乃至（７）のいずれかに記載の送信装置。
（９）
前記セグメント制御情報は、前記セグメントからなる階層で行われる前記第２の方式の放送がSISO方式又はMIMO方式を用いる放送であることを示す情報を含む
（１）に記載の送信装置。
（１０）
前記セグメント制御情報は、前記セグメントからなる階層で行われる前記第２の方式の放送の垂直偏波側の周波数インターリーブが、階層内インターリーブ又は階層間インターリーブであることを示す情報を含む
（１）又は（９）に記載の送信装置。
（１１）
送信装置が、
第１の方式との互換性がある第２の方式の導入に応じた制御情報として、周波数領域での分割単位であるセグメントに関するセグメント制御情報を含む伝送制御信号を生成し、
生成した前記伝送制御信号を含む伝送フレームを送信する
送信方法。
（１２）
送信装置から送信される伝送フレームを受信する受信部と、
受信した前記伝送フレームから得られる伝送制御信号に基づいて、前記伝送フレームから得られるデータ信号に対する復調処理を行う復調部と
を備え、
前記伝送制御信号は、第１の方式との互換性がある第２の方式の導入に応じた制御情報として、周波数領域での分割単位であるセグメントに関するセグメント制御情報を含み、
前記復調部は、前記セグメント制御情報に基づいて、前記セグメントに関する復調処理を行う
受信装置。
（１３）
前記セグメント制御情報は、前記セグメントに前記第２の方式が導入されたことを示す情報を含む
前記（１２）に記載の受信装置。
（１４）
前記セグメント制御情報は、前記セグメントからなる階層ごとに、前記第２の方式が導入されたことを示す情報を含む
前記（１２）又は（１３）に記載の受信装置。
（１５）
前記セグメント制御情報は、前記階層ごとに、各階層のセグメント数に関する情報をさらに含む
前記（１４）に記載の受信装置。
（１６）
前記伝送制御信号における既存の領域を、前記第２の方式の伝送パラメータの指示に用いる
前記（１２）乃至（１５）のいずれかに記載の受信装置。
（１７）
前記伝送パラメータは、変調方式、符号化率、及び時間インターリーブに関する情報のうち少なくとも１つを含む
前記（１６）に記載の受信装置。
（１８）
前記伝送制御信号は、前記第２の方式が導入されたことを示す情報をさらに含む
前記（１２）乃至（１７）のいずれかに記載の受信装置。
（１９）
前記第１の方式は、ISDB-T方式を含み、
前記第２の方式は、前記ISDB-T方式の次世代方式を含み、
前記伝送フレームは、OFDMフレームを含み、
前記伝送制御信号は、TMCC信号を含む
前記（１２）乃至（１８）のいずれかに記載の受信装置。
（２０）
前記セグメント制御情報は、前記セグメントからなる階層で行われる前記第２の方式の放送がSISO方式又はMIMO方式を用いる放送であることを示す情報を含む
（１２）に記載の受信装置。
（２１）
前記セグメント制御情報は、前記セグメントからなる階層で行われる前記第２の方式の放送の垂直偏波側の周波数インターリーブが、階層内インターリーブ又は階層間インターリーブであることを示す情報を含む
（１２）又は（２０）に記載の受信装置。
（２２）
送信装置から送信される伝送フレームを受信する受信部と、
受信した前記伝送フレームから得られる伝送制御信号に基づいて、前記伝送フレームから得られるデータ信号に対する復調処理を行う復調部と
を備える受信装置が、
前記伝送制御信号に含まれるセグメント制御情報であって、第１の方式との互換性がある第２の方式の導入に応じた制御情報として周波数領域での分割単位であるセグメントに関する前記セグメント制御情報に基づいて、前記セグメントに関する復調処理を行う
受信方法。
【符号の説明】
【０２１９】
１  伝送システム，  １０  送信装置，  １１，１１−１乃至１１−Ｎ  データ処理装置，  ２０，２０−１乃至２０−Ｍ  受信装置，  ２０Ｄ  両方式受信装置，  ２０Ｌ  既存方式受信装置，  ２０Ｎ  新方式受信装置，  １０１  変調処理部，  １０２  伝送制御信号生成部，  １０３  OFDM変調部，  ２０１  OFDM復調部，  ２０２  伝送制御信号処理部，  ２０３  復調処理部，  １０００  コンピュータ，  １００１  CPU
【図１】
2020096343.tif 000003
【図２】
2020096343.tif 000004
【図３】
2020096343.tif 000005
【図４】
2020096343.tif 000006
【図５】
2020096343.tif 000007
【図６】
2020096343.tif 000008
【図７】
2020096343.tif 000009
【図８】
2020096343.tif 000010
【図９】
2020096343.tif 000011
【図１０】
2020096343.tif 000012
【図１１】
2020096343.tif 000013
【図１２】
2020096343.tif 000014
【図１３】
2020096343.tif 000015
【図１４】
2020096343.tif 000016
【図１５】
2020096343.tif 000017
【図１６】
2020096343.tif 000018
【図１７】
2020096343.tif 000019
【図１８】
2020096343.tif 000020
【図１９】
2020096343.tif 000021
【図２０】
2020096343.tif 000022
【図２１】
2020096343.tif 000023
【図２２】
2020096343.tif 000024
【図２３】
2020096343.tif 000025
【図２４】
2020096343.tif 000026
【図２５】
2020096343.tif 000027
【図２６】
2020096343.tif 000028
【図２７】
2020096343.tif 000029
【図２８】
2020096343.tif 000030
【図２９】
2020096343.tif 000031
【図３０】
2020096343.tif 000032
【図３１】
2020096343.tif 000033
【図３２】
2020096343.tif 000034
【図３３】
2020096343.tif 000035
【図３４】
2020096343.tif 000036
【図３５】
2020096343.tif 000037